(57)【要約】【課題】従来のものより熱源部の雰囲気温度を均一化させることが可能となる冷却装置およびこれを備えた画像形成装置を提供する。【解決手段】装置本体の筐体背面部７に隣接する所定の位置に配置された、２個一組となる複数組のモータ群を備え、筐体背面部７には吸引装置４の設置された筐体６が設けられ、その筐体６は本体筐体背面部７側の一部に、本体内部側の雰囲気を吸引・排出するための吸気口８が設けられており、２個一組のモータは回転数の異なる２種類のモータ（１１及び２０）であり、少なくとも一方のモータ２には気流発生手段３が設けられており、該気流発生手段３により生じた気流ＦＬ１及びＦＬ２により、一方のモータ２０自身及び対となるもう一方のモータ１１を冷却し、更には周辺のモータの雰囲気を攪拌することにより、互いに隣接する複数組のモータの近傍の雰囲気温度を均一化させる。【選択図】図２
2006139184.tif 000002
【特許請求の範囲】
【請求項１】
電子機器の本体の筐体背面部に隣接する所定の位置に配置された、２個一組となる複数組のモータ群を備え、
前記筐体背面部には吸引装置の設置された筐体が設けられ、その筐体は本体筐体背面部側の一部に、本体内部側の雰囲気を吸引・排出するための吸気口が設けられており、
前記２個一組のモータは回転数の異なる２種類のモータでなり、少なくとも一方のモータには気流発生手段が設けられており、該気流発生手段により生じた気流により、前記一方のモータ自身及び対となるもう一方のモータを冷却し、
更には周辺のモータの雰囲気を攪拌することにより、互いに隣接する複数組のモータの近傍の雰囲気温度を均一化させることを特徴とする冷却装置。
【請求項２】
前記２個一組のモータのうち、回転数の高いモータに気流発生手段を設けることを特徴とする請求項１記載の冷却装置。
【請求項３】
前記気流発生手段を吸気口から離れた場所にある回転数の高いモータにのみ設けたことを特徴とする請求項１または２記載の冷却装置。
【請求項４】
本体筐体の背面に配置された吸引装置の設置された筐体が電装筐体であることを特徴とする請求項１〜３記載の冷却装置。
【請求項５】
前記電子機器がタンデム型カラー画像形成装置であり、前記２個一組のモータは、前記感光体ドラムに対して駆動伝達を行う駆動モータ及び、感光体ドラムに対して画像の形成を行う現像装置、又は感光体ドラムのクリーニングを行う感光体クリーニング装置のうちの少なくとも一つに対して駆動伝達を行う駆動モータであり、
感光体ドラムに対して駆動伝達を行う駆動モータにたいして、より回転数の高い画像の形成を行う現像装置又は感光体のクリーニングを行う感光体クリーニング装置のうちの少なくとも一つに対して駆動伝達を行う駆動モータに連結・駆動される気流発生手段を設けたことを特徴とする請求項１〜４記載の冷却装置。
【請求項６】
請求項１〜４のいずれか１項に記載の冷却装置を備えることを特徴とする画像形成装置。
【発明の詳細な説明】
【技術分野】
【０００１】
本発明は、ファンを駆動して給気流路に空気を取り込んで熱源を冷却した後、排気する冷却装置およびその冷却装置をそなえた、複写機、プリンタ、ファクシミリなどの画像形成 装置に関するものである。
【背景技術】
【０００２】
従来のレーザプリンタやコピー機などの画像形成装置では、基材層状に電荷発生層や電荷輸送層などが積層された感光体にコロナ放電を行って帯電させ、その感光体上にレーザやＬＥＤなどの光による露光を行って静電潜像を形成し、トナー等の現像剤で顕著化させた像を神等の被記録媒体上に転写させ、定着器等によって加熱定着させることで画像の形成が行われている。そして、一般には、これら画像を形成するための各装置あるいはこれら装置に駆動電圧を供給する電源基板等から発生される熱が、ファンの駆動によって本体ケース外に排気される。
【０００３】
このような、装置の冷却目的の冷却装置としては、例えば、特許文献１、特許文献２、特許文献３、特許文献４等が挙げられる。特許文献１には、画像形成装置において、限られた本体ケース内の空間を有効利用して、電源基板から発生される熱を含むエアを他の基板に影響させないようにして本体ケース外に排気するための技術が開示されている。特許文献２には、画像形成装置の定着部等を、冷却手段としてファンやダクトを用いて冷却する技術について開示されている。特許文献３では、画像形成装置において、気流発生手段で、現像器ユニットの周囲に設けられた中空のカバー部材の中空部内を貫通する気流を発生させ、該気流によって現像器ユニットを冷却するための技術、また、現像器ユニット近傍に配置された例えば定着装置などからの熱が現像器ユニットに伝わりにくくするための技術が開示されている。特許文献４では、フィンが設けられたフライホイールをメインモータ近傍に設けるようにしており、回転速度ムラの低減と同時にメインモータの冷却を行うので、コスト増および大型化を回避できるとされている。
【０００４】
【特許文献１】特開２００４−９３７０８号公報
【特許文献２】特開２０００−３１０９３１号公報
【特許文献３】特開平８−５０４１２号公報
【特許文献４】特開２００２−２６８４５６号公報
【０００５】
ところで、技術の革新や市場からの要求により、近年では複写機等の画像形成装置は高速で、カラー印刷、更には省スペースであるというニーズが高まってきている
カラー印刷に関しては感光体上にそれぞれ単色トナー画像を形成し、それらの単色トナー画像を順次転写してシートに合成カラー画像を記録する、いわゆるタンデム型のものが主流となってきている。
【０００６】
タンデム型の画像形成装置の一例について、図５を参照しながら説明する。図５に示すタンデム画像形成装置１２０は、タンデム型カラー画像形成装置である。タンデム画像形成装置１２０は、複写装置本体１５０と、給紙テーブル２００と、スキャナ３００と、原稿自動搬送装置（ＡＤＦ）４００とを備えている。複写装置本体１５０には、無端ベルト状の中間転写体５０が中央部に設けられている。そして、中間転写体５０は、支持ローラ１４、１５および１６に張架され、図５中、時計回りに回転可能とされている。
【０００７】
支持ローラ１５の近傍には、中間転写体５０上の残留トナーを除去するための中間転写体クリーニング装置１７が配置されている。支持ローラ１４と支持ローラ１５とにより張架された中間転写体５０には、その搬送方向に沿って、イエロー、シアン、マゼンタ、ブラックの４つの画像形成手段１８が対向して並置されたタンデム型現像器１２０が配置されている。タンデム型現像器１２０の近傍には、露光装置２１が配置されている。中間転写体５０における、タンデム型現像器１２０が配置された側とは反対側には、二次転写装置２２が配置されている。
【０００８】
二次転写装置２２においては、無端ベルトである二次転写ベルト２４が一対のローラ２３に張架されており、二次転写ベルト２４上を搬送される被転写材（転写紙）と中間転写体５０とは互いに接触可能である。二次転写装置２２の近傍には定着装置２５が配置されている。定着装置２５は、無端ベルトである定着ベルト２６と、これに押圧されて配置された加圧ローラ２７とを備えている。なお、タンデム画像形成装置１２０においては、二次転写装置２２および定着装置２５の近傍に、転写紙の両面に画像形成を行うために該転写紙を反転させるためのシート反転装置２８が配置されている。
【０００９】
次に、タンデム型現像器１２０を用いたフルカラー画像の形成（カラーコピー）について説明する。即ち、先ず、原稿自動搬送装置（ＡＤＦ）４００の原稿台１３０上に原稿をセットするか、あるいは原稿自動搬送装置４００を開いてスキャナ３００のコンタクトガラス３２上に原稿をセットし、原稿自動搬送装置４００を閉じる。
【００１０】
スタートスイッチ（不図示）を押すと、原稿自動搬送装置４００に原稿をセットした時は、原稿が搬送されてコンタクトガラス３２上へと移動された後で、一方、コンタクトガラス３２上に原稿をセットした時は直ちに、スキャナ３００が駆動し、第１走行体３３および第２走行体３４が走行する。このとき、第１走行体３３により、光源からの光が照射されると共に原稿面からの反射光を第２走行体３４におけるミラーで反射し、結像レンズ３５を通して読取りセンサ３６で受光されてカラー原稿（カラー画像）が読み取られ、ブラック、イエロー、マゼンタおよびシアンの画像情報とされる。
【００１１】
そして、ブラック、イエロー、マゼンタおよびシアンの各画像情報は、タンデム型現像器１２０における各画像形成手段１８（ブラック用画像形成手段、イエロー用画像形成手段、マゼンタ用画像形成手段およびシアン用画像形成手段）にそれぞれ伝達され、各画像形成手段において、ブラック、イエロー、マゼンタおよびシアンの各トナー画像が形成される。即ち、タンデム型現像器１２０における各画像形成手段１８（ブラック用画像形成手段、イエロー用画像形成手段、マゼンタ用画像形成手段およびシアン用画像形成手段）は、図６に示すように、それぞれ、感光体１０（ブラック用感光体１０Ｋ、イエロー用感光体１０Ｙ、マゼンタ用感光体１０Ｍおよびシアン用感光体１０Ｃ）と、該感光体を一様に帯電させる帯電器６０と、各カラー画像情報に基づいて各カラー画像対応画像様に前記感光体を露光（図６中、Ｌ）し、該感光体上に各カラー画像に対応する静電潜像を形成する露光器と、該静電潜像を各カラートナー（ブラックトナー、イエロートナー、マゼンタトナーおよびシアントナー）を用いて現像して各カラートナーによるトナー像を形成する現像器６１と、該トナー像を中間転写体５０上に転写させるための転写帯電器６２と、感光体クリーニング装置６３と、除電器６４とを備えており、それぞれのカラーの画像情報に基づいて各単色の画像（ブラック画像、イエロー画像、マゼンタ画像およびシアン画像）を形成可能である。
【００１２】
こうして形成された該ブラック画像、該イエロー画像、該マゼンタ画像および該シアン画像は、支持ローラ１４、１５および１６により回転移動される中間転写体５０上にそれぞれ、ブラック用感光体１０Ｋ上に形成されたブラック画像、イエロー用感光体１０Ｙ上に形成されたイエロー画像、マゼンタ用感光体１０Ｍ上に形成されたマゼンタ画像およびシアン用感光体１０Ｃ上に形成されたシアン画像が、順次転写（一次転写）される。そして、中間転写体５０上に前記ブラック画像、前記イエロー画像、マゼンタ画像およびシアン画像が重ね合わされて合成カラー画像（カラー転写像）が形成される。
【００１３】
一方、給紙テーブル２００においては、給紙ローラ１４２の１つを選択的に回転させ、ペーパーバンク１４３に多段に備える給紙カセット１４４の１つからシート（記録紙）を繰り出し、分離ローラ１４５で１枚ずつ分離して給紙路１４６に送出し、搬送ローラ１４７で搬送して複写機本体１５０内の給紙路１４８に導き、レジストローラ４９に突き当てて止める。あるいは、給紙ローラ１５０を回転して手差しトレイ５１上のシート（記録紙）を繰り出し、分離ローラ５２で１枚ずつ分離して手差し給紙路５３に入れ、同じくレジストローラ４９に突き当てて止める。なお、レジストローラ４９は、一般には接地されて使用されるが、シートの紙粉除去のためにバイアスが印加された状態で使用されてもよい。
【００１４】
そして、中間転写体５０上に合成された合成カラー画像（カラー転写像）にタイミングを合わせてレジストローラ４９を回転させ、中間転写体５０と二次転写装置２２との間にシート（記録紙）を送出させ、二次転写装置２２により該合成カラー画像（カラー転写像）を該シート（記録紙）上に転写（二次転写）することにより、該シート（記録紙）上にカラー画像が転写され形成される。なお、画像転写後の中間転写体５０上の残留トナーは、中間転写体クリーニング装置１７によりクリーニングされる。
【００１５】
カラー画像が転写され形成された前記シート（記録紙）は、二次転写装置２２により搬送されて、定着装置２５へと送出され、定着装置２５において、熱と圧力とにより前記合成カラー画像（カラー転写像）が該シート（記録紙）上に定着される。その後、該シート（記録紙）は、切換爪５５で切り換えて排出ローラ５６により排出され、排紙トレイ５７上にスタックされ、あるいは、切換爪５５で切り換えてシート反転装置２８により反転されて再び転写位置へと導き、裏面にも画像を記録した後、排出ローラ５６により排出され、排紙トレイ５７上にスタックされる。
【００１６】
このようなタンデム型画像形成装置では、４つの感光体駆動モータが必要となってきている。更に省スペース化を行う必要性があることを考えると感光体駆動モータの大型化はできるだけ避ける必要があり、また各色の感光体駆動モータ間の距離が狭くなることから、感光体駆動モータの自己発熱が隣接する他の感光体駆動モータの雰囲気温度を上昇させるという問題が発生してきている。また省スペース化により他の熱源が感光体駆動モータに隣接することにより、特定の感光体駆動モータの雰囲気温度を上昇させるという状況も考えられる。
【００１７】
これらの影響により、感光体駆動モータ毎に温度差が生じることで、ある感光体駆動モータではモータの異常動作を発生させる原因となる雰囲気温度の規格値を満足するが、別の感光体駆動モータでは雰囲気温度の規格値を満足しないという課題が発生してきている。上記の如き実状を踏まえて、特にタンデム型画像形成装置においては、各色の感光体駆動モータの雰囲気温度を均一化させる技術が切望されている。
【発明の開示】
【発明が解決しようとする課題】
【００１８】
そこで、本発明は従来のものよりも熱源部の雰囲気温度を均一化させることが可能となる冷却装置およびこれを備えた画像形成装置を提供することを目的とする。
【課題を解決するための手段】
【００１９】
本発明の冷却装置は、電子機器の本体の筐体背面部に隣接する所定の位置に配置された、２個一組となる複数組のモータ群を備え、前記筐体背面部には吸引装置の設置された筐体が設けられ、その筐体は本体筐体背面部側の一部に、本体内部側の雰囲気を吸引・排出するための吸気口が設けられており、前記２個一組のモータは回転数の異なる２種類のモータでなり、少なくとも一方のモータには気流発生手段が設けられており、該気流発生手段により生じた気流により、前記一方のモータ自身及び対となるもう一方のモータを冷却し、更には周辺のモータの雰囲気を攪拌することにより、互いに隣接する複数組のモータの近傍の雰囲気温度を均一化させることを特徴とする。
【００２０】
このような構成により、上記２個一組のモータのうち、一方のモータに設けた気流発生手段により生じた気流により、もう一方のモータの雰囲気及び、左右に存在する他組のモータ周りの雰囲気をかき混ぜることにより、新たな強制気流発生手段を追加することなく、水平方向に並んだ複数ある２個一組のモータの雰囲気温度が均一化される効果がある。
【００２１】
前記２個一組のモータのうち、回転数の高いモータ２に気流発生手段を設けるようにしても良い。これにより、２個一組の回転数の異なるモータのうち、回転数の高いモータ側にのみ気流発生手段を設けることにより、より流速の早い気流を発生させることができ、回転数の低いモータ周りの雰囲気及び、左右に存在する他組のモータ周りの雰囲気をより効率的にかき混ぜることでき、新たな強制気流発生手段を追加することなく、水平方向に並んだ複数ある２個一組一組のモータの雰囲気温度が均一化される効果がある。
【００２２】
また、前記気流発生手段を吸気口から離れた場所にある回転数の高いモータにのみ設けても良い。これにより、気流発生手段を吸気口から離れた場所にある回転数の高いモータにのみ設けることで、吸気口から離れた場所にある雰囲気を吸気口付近まで持っていくことができ、本体背面の筐体の吸引装置から排熱される効率が上昇する効果がある。
【００２３】
更には、本体筐体の背面に配置された吸引装置の設置された筐体を電装筐体としても良い。これにより、本体筐体の背面に存在する吸引装置を備えた筐体を電装ボックスとすることによって、電装ボックス内を排熱するファンと同じファンにより本体背面のモータ付近の熱を排気することができ、新たな排熱装置を設けることなく既存部品のみで排熱することができ、コストの上昇を防ぐ効果がある。
【００２４】
上記した如き冷却装置は、前記電子機器としてのタンデム型カラー画像形成装置において用いる場合に、前記２個一組のモータは、前記感光体ドラムに対して駆動伝達を行う駆動モータ及び、感光体ドラムに対して画像の形成を行う現像装置、又は感光体ドラムのクリーニングを行う感光体クリーニング装置のうちの少なくとも一つに対して駆動伝達を行う駆動モータであり、感光体ドラムに対して駆動伝達を行う駆動モータにたいして、より回転数の高い画像の形成を行う現像装置又は感光体のクリーニングを行う感光体クリーニング装置のうちの少なくとも一つに対して駆動伝達を行う駆動モータに連結・駆動される気流発生手段を設けるようにしても良い。また、本発明の画像形成装置は、上記した如き冷却装置を用いて形成される。
【発明の効果】
【００２５】
本発明によれば、モータの雰囲気温度の均一化を行うことで、吸気口に吸気口付近の熱のみではなく、吸気口から離れたモータの熱を排気することができることにより、バランスよくモータの熱を排熱させることができる。２種類のモータのうち、特に回転数の高いモータにのみ気流発生手段を設けることで、気流の流れを大きくすることで、よりバランスよくモータの雰囲気温度を均一化させることができる。
【発明を実施するための最良の形態】
【００２６】
以下、本発明の実施の形態について、図面を参照し詳細に説明する。図１は、先の図５に示したような、タンデム型カラー画像形成装置の本発明に関連する要部のみを模式的に示した正面断面図である。また、図２は本発明に係る冷却装置の一実施の形態の要部の概略構成を示す正面図、図３は要部の側面図である。
【００２７】
〔実施形態１〕
冷却装置は、図１に示した、タンデム型カラー画像形成装置に組み込まれている。図１に示すようなタンデム型カラー画像形成装置において、感光体ドラム１０Ｙ,１０Ｃ,１０Ｍ,１０Ｋに形成された像は中間転写ベルト５０に対して一次転写され、中間転写ベルト５０上で複数の色が重ね合わされ、ベルト回転体１６により加圧された最終転写体１３とベルト回転体１６のニップ部において被転写材１２に転写され、その後、定着装置２５において画像の定着が行われる。
【００２８】
本体筐体背面部には吸引装置の設置された筐体があり、その筐体は本体背面の一部に本体側の雰囲気を吸引するための吸気口が存在する。本体筐体背面部の板金に隣接する２個一組で対となり垂直方向に配設されモータ対が複数組（図では４組）、水平方向に並んで配置されている。感光体ドラム１０Ｙ,１０Ｃ,１０Ｍ,１０Ｋに対する駆動伝達は他からの回転ムラの影響を除去するために感光体ドラム１０Ｙ,１０Ｃ,１０Ｍ,１０Ｋを駆動する感光体ドラムモータ１１-１,１１-２,１１-３,１１-４（図３参照）と現像装置６１Ｙ,６１Ｃ,６１Ｍ,６１Ｋを駆動する現像モータ２０-１、２０-２、２０-３、２０-４、（図３参照）は別のモータとなっている。感光体ドラムモータ１１-１,１１-２,１１-３,１１-４は現像モータ２０-１,２０-２,２０-３,２０-４よりも低速で回転する。このように一組のモータには回転数の異なる２種類のモータが存在する。
【００２９】
また、図３にあるように各色のモータは色ずれの低減をねらう上から各色のステーションを独立して駆動させている。図の冷却装置では、感光体ドラムモータ１１-１,１１-２,１１-３,１１-４及び現像モータ２０-１,２０-２,２０-３,２０-４はレイアウト上隣接していて、８個のモータが配置されている。
【００３０】
本発明に係る冷却装置では、上記複数のモータの所定のものに気流発生手段を設け、気流発生手段により生じた気流により、その気流発生手段を設けてあるモータ自身及び対となるもう一方のモータを冷却し、更にはモータ周りの雰囲気をかき混ぜることにより、隣接する複数組のモータの雰囲気温度を均一化させる。
【００３１】
感光体ドラムモータ１１-１,１１-２,１１-３,１１-４は現像モータ２０-１,２０-２,２０-３,２０-４よりも低速で回転しており、低速で効率が悪い分、自己発熱が起こってしまうため現像モータ２０-１,２０-２,２０-３,２０-４に比べてモータ周りの冷却を行う必要がある。そこで、２個一組のモータのうち少なくとも一方のモータに図２及び図３に示すような気流発生手段を設けている。このように、気流発生手段である羽根３０-１、３０-２、３０-３、３０-４により現像モータ２０-１,２０-２,２０-３,２０-４の回転方向に気流ＦＬ１、ＦＬ２を発生させることで感光体ドラムモータ１１-１,１１-２,１１-３,１１-４周りに気流の流れを作ることで、各モータ周りの雰囲気をかき混ぜることにより、各感光体ドラムモータ１１-１,１１-２,１１-３,１１-４周りの雰囲気温度を均一化させることが可能になっている。
【００３２】
本実施形態では、２種類のモータのうち、特に回転数の高いモータにのみ気流発生手段を設けることで、気流の流れを大きくすることで、よりバランスよく４組のモータの雰囲気温度を均一化させる構成となっている。
【００３３】
更に図２のように本体筐体の背面に設置されたファン４の設置された電装筐体６に開けられた本体側の雰囲気を吸引するための吸気口８によりファン４によって発生した気流ＦＬ３により機外に排熱させることで各感光体ドラムモータ１１-１,１１-２,１１-３,１１-４周りの均一化された雰囲気温度の上昇を一定値以下に抑えることができる。
【００３４】
このように、各モータの雰囲気温度の均一化を行うことで、吸気口８より吸気口付近の熱のみではなく、吸気口８から離れたモータの熱を排気することができることにより、バランスよく熱源であるモータの熱を排熱させる構成となっている。
【００３５】
気流発生手段（羽根）３０を吸気口８から離れた場所にある回転数の高いモータにのみ設けることで、吸気口８から離れた場所にある雰囲気を吸気口付近に導くように構成することもでき、やはりモータ付近の熱を排気することができる。
感光体ドラムに対して駆動伝達を行う駆動モータは回転数の低いモータであり、自発熱及び他の熱源の影響によりモータ定格温度を超え、モータが異常動作を起こしてしまう可能性がある。また、感光体ドラムに対して画像の形成を行う現像装置、及び感光体のクリーニングを行う感光体クリーニング装置の少なくとも一つに対して駆動伝達を行う駆動モータは回転数の高いモータである。この回転数の高いモータ２０に気流発生手段を設け、気流の流れを作ることにより、モータまわりの雰囲気温度を均一化させる構成となっている。
【００３６】
実施例では、本体筐体の背面に存在する吸引装置４を備えた筐体６は電装ボックスであり、電装ボックス内を排熱するためのファンを吸引装置とし、このファン４により本体背面のモータ付近の熱を排気する構成となっている。
【００３７】
続いて、本発明の第２の実施形態について説明する。この実施形態２では、図４のように本体背面に開けられている吸気口８がモータ背面の一部のみに開けられており、その吸気口８から離れた場所に存在する現像モータ２０-１,２０-２にのみ気流発生手段である羽根３０-１、３０-２が設けられており、現像モータ２０-１,２０-２の回転方向に気流ＦＬ２を発生させることにより、感光体ドラムモータ１１-１,１１-２周りの雰囲気をかき混ぜることで、吸気口８近くに感光体ドラムモータ１１-１,１１-２から発生した熱を移動させることにより、各感光体ドラムモータ１１-１,１１-２,１１-３,１１-４周りの雰囲気温度を均一化させることが可能である。
【００３８】
更には、電装ボックス６に設けられた排気用ファン４による気流ＦＬ３により機外に排熱させることで各感光体ドラムモータ１１-１,１１-２,１１-３,１１-４周りの均一化された雰囲気温度の上昇を一定値以下に抑えることができる。
【００３９】
本発明は、複写機、プリンタ、Ｆａｘ等の画像形成装置、更には、モータを使用し冷却を必要とする装置一般に広く適用することができる。
【図面の簡単な説明】
【００４０】
【図１】本発明に係るタンデム型カラー画像形成装置の関連要部を模式的に示した正面断面図である。
【図２】本発明に係る冷却装置の一実施の形態の要部の概略構成を示す正面図である。
【図３】本発明に係る冷却装置の一実施の形態の要部の概略構成を示す側面図である。
【図４】本発明に係る冷却装置の他の実施の形態の要部の概略構成を示す側面図である。
【図５】本発明に係る画像形成装置（タンデム型カラー画像形成装置）の一例を示す概略説明図である。
【図６】図５に示す画像形成装置における一部拡大概略説明図である。
【符号の説明】
【００４１】
４……（ファン）
６……筐体
７……筐体背面部
８……吸気口
１０……感光体（感光体ドラム）
１０Ｋ……ブラック用感光体
１０Ｙ……イエロー用感光体
１０Ｍ……マゼンタ用感光体
１０Ｃ……シアン用感光体
１１（１１−１〜１１−４）……感光体ドラムモータ
１３……最終転写体
１４，１５，１６……支持ローラ
１７……中間転写クリーニング装置
１８……画像形成手段
２０（２０−１〜２０−４）……現像モータ
２１……露光装置
２２……二次転写装置
２４……二次転写ベルト
２５……定着装置
２６……定着ベルト
２７……加圧ローラ
２８……シート反転装置
３０（３０−１〜３０−４）……羽根（気流発生手段）
５０……中間転写体
５５……切換爪
５６……排出ローラ
５７……排出トレイ
６０……クリーニング装置
６１……現像器
６１Ｋ……ブラック用現像器
６１Ｙ……イエロー用現像器
６１Ｍ……マゼンタ用現像器
６１Ｃ……シアン用現像器
６２……転写帯電器
６３……感光体クリーニング装置
６４……除電器
７０……除電ランプ
８０……転写ローラ
１００……画像形成装置
１２０……タンデム型現像装置
１５０……複写装置本体
２００……給紙テーブル
３００……スキャナ
４００……原稿自動搬送装置（ＡＤＦ）
ＦＬ１……気流
ＦＬ２……気流
ＦＬ３……気流
【図１】
2006139184.tif 000003
【図２】
2006139184.tif 000004
【図３】
2006139184.tif 000005
【図４】
2006139184.tif 000006
【図５】
2006139184.tif 000007
【図６】
2006139184.tif 000008